(57)【要約】【課題】外面に突起などを形成することなく、強度の低下を抑制しながら軽量化を実現した靴の先芯を提供する。【解決手段】靴の爪先部分に設けられる靴の先芯１０であって、靴の爪先から踵に向う方向に平面視におけるＵ字状に延在し、先芯１０の内部空間の周囲を画定する側壁２０と、先芯１０の内部空間の天端を画定するように延在する天壁８０と、側壁２０の下端部から先芯１０の内部空間に突出し、側壁２０の全周に渡って延在するフランジ９０と、を備え、側壁２０の先端部３０と側壁２０の一方の端部５０との間の部分の内面には凹部又は貫通穴からなる一方側薄肉化部４５が設けられ、且つ側壁２０の先端部３０と側壁２０の他方の端部７０との間の部分の内面には凹部又は貫通穴からなる他方側薄肉化部６５が設けられる。【選択図】図２
0003211657.tif 000002
【実用新案登録請求の範囲】
【請求項１】
靴の爪先部分に設けられる靴の先芯であって、
前記靴の爪先から踵に向う方向に平面視におけるＵ字状に延在し、前記先芯の内部空間の周囲を画定する側壁と、
前記側壁の上端から延出し、前記先芯の内部空間の天端を画定するように延在する天壁と、
前記側壁の下端部から前記先芯の内部空間に突出し、前記側壁の全周に渡って延在するフランジと、を備え、
前記側壁の先端部と前記側壁の一方の端部との間の部分の内面には凹部又は貫通穴からなる一方側薄肉化部が設けられ、且つ前記側壁の先端部と前記側壁の他方の端部との間の部分の内面には凹部又は貫通穴からなる他方側薄肉化部が設けられる、靴の先芯。
【請求項２】
前記側壁と前記天壁との接続部の下端は、前記先芯の上端から下端に向かって前記先芯の高さ寸法の６０％以上８０％以下の領域に位置し、
前記一方側薄肉化部は、前記側壁の周方向における中央から一方側端に向かって前記側壁の周方向に沿った寸法の２０％以上８０％以下の領域で且つ前記側壁と前記天壁との接続部の下端よりも下方の領域に位置し、且つ、
前記他方側薄肉化部は、前記側壁の周方向における中央から他方側端に向かって前記側壁の周方向に沿った寸法の２０％以上８０％以下の領域で且つ前記側壁と前記天壁との接続部の下端よりも下方の領域に位置する、請求項１に記載の靴の先芯。
【請求項３】
前記一方側薄肉化部及び前記他方側薄肉化部それぞれは、アーチ状の縁を有する、請求項１又は２に記載の靴の先芯。
【請求項４】
前記一方側薄肉化部及び前記他方側薄肉化部それぞれは、前記側壁の周方向において中央から離間する方向に浅くなっている凹部である、請求項１乃至３のいずれかに記載の靴の先芯。
【請求項５】
前記フランジの先端縁は、前記側壁の先端部に沿って延びる第１のフランジ先端縁と、前記側壁の先端部と一方の端との間の部分に沿って延びる第２のフランジ先端縁と、前記側壁の先端部と他方の端との間の部分に沿って延びる第３のフランジ先端縁と、を含み、
前記第１のフランジ先端縁と前記第２のフランジ先端縁との接続部である第１のフランジ接続部、及び前記第１のフランジ先端縁と前記第３のフランジ先端縁との接続部である第２のフランジ接続部のそれぞれは入隅に形成されており、
前記第１のフランジ接続部の入隅は、底面視において、前記一方側薄肉化部のアーチ状の縁の前記側壁の先端部側に位置する下端を通り、且つ当該下端に位置する前記側壁の厚さ方向に沿って延びる直線上又はその近傍に位置し、且つ、
前記第２のフランジ接続部の入隅は、底面視において、前記他方側薄肉化部のアーチ状の縁の前記側壁の先端部側に位置する下端を通り、且つ当該下端に位置する前記側壁の厚さ方向に沿って延びる直線上又はその近傍に位置する、請求項１乃至４のいずれかに記載の靴の先芯。
【考案の詳細な説明】
【技術分野】
【０００１】
本考案は、靴の先芯に関する。
【背景技術】
【０００２】
従来から、外部からの衝撃や圧迫などに対する強度を確保するために、靴の爪先部分に先芯を設けることが知られている。当該靴の先芯は、例えば、特に強度が求められる安全靴において用いられる。このような靴の先芯として、例えば、特許文献１には履物用先芯が提案されている。
【０００３】
特許文献１の履物用先芯は、少なくとも両側の立ち上がり部の断面が略直線状で上方に向い内側に若干傾斜するように形成されることを特徴とする。また、特許文献１には、その外面が平滑に形成された履物用先芯が提案されているが、強度を高めることを目的としてその外面に隆起条が形成された履物用先芯についても提案されている。
【先行技術文献】
【特許文献】
【０００４】
【特許文献１】特開２０００−１９７５０５号公報
【考案の概要】
【考案が解決しようとする課題】
【０００５】
ところで、従来からある特許文献１やその他の靴の先芯では、強度を確保するために、その厚さ寸法を大きくする傾向にあった。しかしながら、このように厚さ寸法を大きくすると重量が増すため、ユーザーに負担がかかってしまうという問題があった。また、特許文献１で提案されたように、強度を向上させるためにその外面に突起などを形成してしまうと、表面を全て平滑に仕上げる旨が規定された安全靴に関する日本工業規格（ＪＩＳ  Ｔ８１０１）、及び日本保安用品協会（ＪＳＡＡ）のプロテクティブスニーカーに関する規格などに反してしまう。これにより、例えば外部に設けられた他の部材に引っ掛かる等する虞が生じるため、安全性に支障をきたしてしまうという問題があった。
【０００６】
そこで、本考案は、外面に突起などを形成することなく、強度の低下を抑制しながら軽量化を実現した靴の先芯を提供することを目的とする。
【課題を解決するための手段】
【０００７】
前記課題を解決するために、本考案に係る靴の先芯は、靴の爪先部分に設けられる靴の先芯であって、前記靴の爪先から踵に向う方向に平面視におけるＵ字状に延在し、前記先芯の内部空間の周囲を画定する側壁と、前記側壁の上端から延出し、前記先芯の内部空間の天端を画定するように延在する天壁と、前記側壁の下端部から前記先芯の内部空間に突出し、前記側壁の全周に渡って延在するフランジと、を備え、前記側壁の先端部と前記側壁の一方の端部との間の部分の内面には凹部又は貫通穴からなる一方側薄肉化部が設けられ、且つ前記側壁の先端部と前記側壁の他方の端部との間の部分の内面には凹部又は貫通穴からなる他方側薄肉化部が設けられる。
【０００８】
この構成によれば、側壁の内面において一方側薄肉化部及び他方側薄肉化部を備えることにより、外面を平滑に保ちながら軽量化を図ることができる。また、靴の先芯に衝撃や圧迫等の外力が加わった場合、その外力は、側壁の先端部及び両端部に、他の部分に比べて、大きな割合で作用するが、一方側薄肉化部及び他方側薄肉化部がこれらの部分を避けて設けられるので、薄肉化による強度の低下を抑制することできる。以上の通りであるため、本考案に係る靴の先芯は、外面に突起などを形成することなく、強度の低下を抑制しながら軽量化を実現することができる。
【０００９】
前記側壁と前記天壁との接続部の下端は、前記先芯の上端から下端に向かって前記先芯の高さ寸法の６０％以上８０％以下の領域に位置し、前記一方側薄肉化部は、前記側壁の周方向における中央から一方側端に向かって前記側壁の周方向に沿った寸法の２０％以上８０％以下の領域で且つ前記側壁と前記天壁との接続部の下端よりも下方の領域に位置し、且つ、前記他方側薄肉化部は、前記側壁の周方向における中央から他方側端に向かって前記側壁の周方向に沿った寸法の２０％以上８０％以下の領域で且つ前記側壁と前記天壁との接続部の下端よりも下方の領域に位置してもよい。
【００１０】
前記一方側薄肉化部及び前記他方側薄肉化部それぞれは、アーチ状の縁を有してもよい。なお、「アーチ」とは、一般に弧形、弓形又は穹窿のことをいう。また、ここでいう「アーチ状」とは、前記一般にいう弧形、弓形又は穹窿の他に、例えば、半円状に形成されている場合やその天部がフラットに形成されている場合等も含むことを意味する。
【００１１】
この構成によれば、一方側薄肉化部のアーチ状の縁が、その天壁側の端及び両側の下端の３点で支持し、且つ他方側薄肉化部のアーチ状の縁が、その天壁側の端及び両側の下端で支持することにより、靴の先芯に加わる衝撃や圧迫などの外力を分散することができる。これにより、薄肉化による強度の低下をより抑制することが可能となる。
【００１２】
前記一方側薄肉化部及び前記他方側薄肉化部それぞれは、前記側壁の周方向において中央から離間する方向に浅くなっている凹部であってもよい。
【００１３】
この構成によれば、一方側薄肉化部及び他方側薄肉化部それぞれは、荷重がかかり易い靴の先端側になるほど強度が増すように形成されている。これにより、上記した本考案が奏する効果を顕著にすることができる。
【００１４】
前記フランジの先端縁は、前記側壁の先端部に沿って延びる第１のフランジ先端縁と、前記側壁の先端部と一方の端との間の部分に沿って延びる第２のフランジ先端縁と、前記側壁の先端部と他方の端との間の部分に沿って延びる第３のフランジ先端縁と、を含み、前記第１のフランジ先端縁と前記第２のフランジ先端縁との接続部である第１のフランジ接続部、及び前記第１のフランジ先端縁と前記第３のフランジ先端縁との接続部である第２のフランジ接続部のそれぞれは入隅に形成されており、前記第１のフランジ接続部の入隅は、底面視において、前記一方側薄肉化部のアーチ状の縁の前記側壁の先端部側に位置する下端を通り、且つ当該下端に位置する前記側壁の厚さ方向に沿って延びる直線上又はその近傍に位置し、且つ、前記第２のフランジ接続部の入隅は、底面視において、前記他方側薄肉化部のアーチ状の縁の前記側壁の先端部側に位置する下端を通り、且つ当該下端に位置する前記側壁の厚さ方向に沿って延びる直線上又はその近傍に位置してもよい。なお、ここで「入隅」とは、壁・板などが或る角度をもって出会う所の内方の隅のことをいう。なお、ここでいう入れ隅は丸みを付けて形成されていてもよい。
【００１５】
この構成によれば、フランジのうち荷重がかかり易い部分である靴の先端側に位置する部分及び踵側に位置する部分それぞれの底面視における面積を他の部分と比較して無駄なく大きくすることができる。その結果、上記した本考案が奏する効果を顕著にすることが可能になる。
【考案の効果】
【００１６】
本考案は、外面に突起などを形成することなく、強度の低下を抑制しながら軽量化を実現することができる。
【図面の簡単な説明】
【００１７】
【図１】本考案の実施形態に係る靴の先芯が内蔵されたプロテクティブスニーカーの簡略化した外観斜視図である。
【図２】本考案の実施形態に係る靴の先芯を踵側から見た斜視図である。
【図３】本考案の実施形態に係る靴の先芯を爪先側から見た正面図である。
【図４】本考案の実施形態に係る靴の先芯の底面図である。
【図５】本考案の実施形態に係る靴の先芯の図３に示すＶ−Ｖ線に沿った断面図である。
【考案を実施するための形態】
【００１８】
以下、本考案の実施形態を、添付図面を参照して説明する。なお、以下では、全ての図を通じて同一又は相当する要素には同一の参照符号を付して、その重複する説明を省略する。
【００１９】
（全体的な構成）
図１は、本考案の実施形態に係る靴の先芯が内蔵されたプロテクティブスニーカーの簡略化した外観斜視図である。また、図２は、本考案の実施形態に係る靴の先芯を踵側から見た斜視図であり、図３は爪先側から見た正面図であり、図４は底面図であり、図５は図３に示すＶ−Ｖ線に沿った断面図である。
【００２０】
図１〜５を参照すると、本考案の実施形態に係る靴の先芯１０は、例えば、透明又は半透明の熱可塑性樹脂を用いて形成されており、靴の中でも特に強度が求められるプロテクティブスニーカーの爪先部分に内蔵して設けられる。したがって、本実施形態に係る靴の先芯１０は、日本保安用品協会（ＪＳＡＡ）のプロテクティブスニーカー規格に準拠して形成されている。
【００２１】
先芯１０は、靴の爪先から踵に向う方向に平面視におけるＵ字状に延在し、先芯１０の内部空間の周囲を画定する側壁２０と、側壁２０の上端から延出し、先芯１０の内部空間の天端を画定するように延在する天壁８０と、側壁２０の下端部から先芯１０の内部空間に突出し、側壁２０の全周に渡って延在するフランジ９０と、を備える。側壁２０、天壁８０及びフランジ９０は、例えば、透明又は半透明の熱可塑性樹脂を用いて一体的に形成されている。ここで、上記したプロテクティブスニーカー規格には先芯の表面を全て平滑に仕上げる旨が規定されている。これに適合させるため、先芯１０は側壁２０及び天壁８０それぞれの外面が全て平滑に形成されている。また、側壁２０と天壁８０とは、滑らかに湾曲した接続部により接続されている。なお、側壁２０と天壁８０との接続部の下端は、先芯１０の上端から下端に向かって先芯１０の高さ寸法（図３においてＨで示した寸法）の６０％以上８０％以下の領域（図３においてｈで示した領域）に位置する。
【００２２】
（側壁２０）
側壁２０は、最も先端の部分である（すなわち、最も爪先側に位置する）先端部３０と、先端部３０の周方向における一方側端から滑らかに湾曲して踵側に延び、後述する一方側薄肉化部４５が形成される一方の薄肉化形成部分４０と、一方の薄肉化形成部分４０の周方向における一方端に接続される一方の端部５０と、先端部３０の周方向における他方側端から滑らかに湾曲して踵側に延び、後述する他方側薄肉化部６５が形成される他方の薄肉化形成部分６０と、他方の薄肉化形成部分６０の周方向における他方端に接続される他方の端部７０と、を含む。すなわち、側壁２０の先端部３０と側壁２０の一方の端部５０との間の部分が一方の薄肉化形成部分４０であり、且つ側壁２０の先端部３０と側壁２０の他方の端部７０との間の部分が他方の薄肉化形成部分６０である。
【００２３】
側壁２０の先端部３０は、平面視において、靴の先端側へと膨れ出るように湾曲した形状を有する。ここで、当該先端部３０は、側壁２０の他の部分（すなわち、一方の薄肉化形成部分４０及び一方の端部５０、並びに他方の薄肉化形成部分６０及び他方の端部７０）と比較して荷重がかかり易い部分である。そこで、当該先端部３０の厚さ寸法は、側壁２０の他の部分の厚さ寸法よりも大きく形成されている。これにより、先芯１０は強度の低下を抑制しながら軽量化を図ることができる。
【００２４】
一方の薄肉化形成部分４０及び一方の端部５０は、平面視において、踵側に向かうに連れて外側へと広がるように傾斜して形成されている。一方の薄肉化形成部分４０（の一方側薄肉化部４５を除く部分）及び一方の端部５０の厚さ寸法は、互いに同じか又はほぼ同じに形成されている。また、同厚さ寸法は、先端部３０のそれよりも小さく、他方の薄肉化形成部分６０（の他方側薄肉化部６５を除く部分）及び他方の端部７０のそれと同じか又はほぼ同じに形成されている。
【００２５】
一方の薄肉化形成部分４０の内面には、一方側薄肉化部４５が形成されている。一方側薄肉化部４５は、天壁８０側へと膨れ出たアーチ状の縁４５ａを有する。なお、当該アーチ状の縁４５ａを図３右側において破線で示す。当該アーチ状の縁４５ａの下端４６ａ，４６ｂの高さ位置は、フランジ９０の上面の高さ位置と同じである。また、一方側薄肉化部４５は、側壁２０の周方向において中央（図５において２点鎖線で示した直線Ｃ）から離間する方向に浅くなっている凹部である。
【００２６】
他方の薄肉化形成部分６０及び他方の端部７０は、平面視において、踵側に向かうに連れて外側へと広がるように傾斜して形成されている。他方の薄肉化形成部分６０（の他方側薄肉化部６５を除く部分）及び他方の端部７０の厚さ寸法は、互いに同じか又はほぼ同じに形成されている。また、同厚さ寸法は、先端部３０のそれよりも小さく、一方の薄肉化形成部分４０（の一方側薄肉化部４５を除く部分）及び一方の端部５０のそれと同じか又はほぼ同じに形成されている。
【００２７】
図５を参照して、一方側薄肉化部４５は、側壁２０の周方向における中央（直線Ｃ）から一方側端（直線Ｅ１）に向かって側壁２０の周方向に沿った寸法の２０％以上８０％以下の領域（直線ＴＣと直線ＴＥの間に位置する領域）で且つ側壁２０と天壁８０との接続部の下端よりも下方の領域に位置する。同様に、他方側薄肉化部６５は、側壁２０の周方向における中央（直線Ｃ）から他方側端（直線Ｅ２）に向かって側壁２０の周方向に沿った寸法の２０％以上８０％以下の領域（直線ＬＣと直線ＬＥの間に位置する領域）で且つ側壁２０と天壁８０との接続部の下端よりも下方の領域に位置する。
【００２８】
他方の薄肉化形成部分６０の内面には、他方側薄肉化部６５が形成されている。他方側薄肉化部６５は、天壁８０側へと膨れ出たアーチ状の縁６５ａを有する。なお、当該アーチ状の縁６５ａを図３左側において破線で示す。当該アーチ状の縁６５ａの下端６６ａ，６６ｂの高さ位置は、フランジ９０の上面の高さ位置と同じである。また、他方側薄肉化部６５は、側壁２０の周方向において中央（図５において直線Ｃ）から離間する方向に浅くなっている凹部である。
【００２９】
（フランジ９０）
フランジ９０は、底面視において、靴の先端側へと膨れ出るように湾曲した略Ｕ字状の形状を有する。フランジ９０の先端縁は、側壁２０の先端部３０に沿って延びる第１のフランジ先端縁９０ａと、側壁２０の先端部３０と一方の端５１ａとの間の部分に沿って延びる第２のフランジ先端縁９０ｂと、側壁２０の先端部３０と他方の端７１ａとの間の部分に沿って延びる第３のフランジ先端縁９０ｃと、を含む。
【００３０】
第１のフランジ先端縁９０ａと第２のフランジ先端縁９０ｂとの接続部である第１のフランジ接続部９１ａ、及び第１のフランジ先端縁９０ａと第３のフランジ先端縁９０ｃとの接続部である第２のフランジ接続部９１ｂのそれぞれは入隅に形成されている。
【００３１】
第１のフランジ接続部９１ａの入隅は、底面視において、一方側薄肉化部４５のアーチ状の縁４５ａの側壁２０の先端部３０側に位置する下端４６ａを通り、且つ当該下端４６ａに位置する側壁２０の厚さ方向に沿って延びる直線ＬＣ上又はその近傍に位置する。第２のフランジ接続部９１ｂの入隅は、底面視において、他方側薄肉化部６５のアーチ状の縁６５ａの側壁２０の先端部３０側に位置する下端６６ａを通り、且つ当該下端６６ａに位置する側壁２０の厚さ方向に沿って延びる直線ＴＣ上又はその近傍に位置する。
【００３２】
第１のフランジ先端縁９０ａは、底面視において、靴の幅方向（図５において横方向）に沿って直線状に延びるように形成されている。これにより、フランジ９０の靴の先端側に位置する部分の底面視における面積は、仮に第１のフランジ先端縁９０ａが（側壁２０の先端部３０に沿って）靴の先端側に膨れ出るように湾曲して形成される場合のそれと比較して大きくなる。ここで、上記したように靴の先端側は荷重がかかり易い部分である。したがって、当該部分のフランジ９０の底面視における面積が大きいことにより、靴の内部でフランジ９０が当接する部材（例えば、ミッドソールなど）に対して局所的に大きな荷重がかかることを効率良く抑制することが可能となる。
【００３３】
第２のフランジ先端縁９０ｂは、底面視において、第１のフランジ先端縁９０ａの一方の端から踵側に向かうに連れて外側へと広がるように傾斜して直線状に延び、そのあと当該傾斜を僅かに小さくするように屈曲してさらに踵側に向かうに連れて外側へと広がるように直線状に延びる。同様に、第３のフランジ先端縁９０ｃは、底面視において、第１のフランジ先端縁９０ａの他方の端から踵側に向かうに連れて外側へと広がるように傾斜して直線状に延び、そのあと当該傾斜を僅かに小さくするように屈曲してさらに踵側に向かうに連れて外側へと広がるように直線状に延びる。上記したような構造により、フランジ９０のうち側壁２０の一方の端部５０の下端から突出する部分の底面視における面積が踵側に向かうに連れて大きくなり、且つフランジ９０のうち側壁２０の他方の端部７０の下端から突出する部分の底面視における面積が踵側に向かうに連れて大きくなる。ここで、フランジ９０は、靴の先端側に位置する部分に加えて、靴の踵側に位置する部分においても荷重がかかり易い。したがって、これらの部分のフランジ９０の底面視における面積が大きいことにより、靴の内部でフランジ９０が当接する部材（例えば、ミッドソールなど）に対して局所的に大きな荷重がかかることを効率良く抑制することが可能となる。
【００３４】
（効果）
本実施形態に係る靴の先芯１０は、側壁２０の内面において一方側薄肉化部４５及び他方側薄肉化部６５を備えることにより、外面を平滑に保ちながら軽量化を図ることができる。また、靴の先芯１０に衝撃や圧迫等の外力が加わった場合、その外力は、側壁２０の先端部３０並びに一方の端部５０及び他方の端部７０に、他の部分に比べて、大きな割合で作用するが、一方側薄肉化部４５及び他方側薄肉化部６５がこれらの部分を避けて設けられるので、薄肉化による強度の低下を抑制することできる。以上の通りであるため、本実施形態に係る靴の先芯１０は、外面に突起などを形成することなく、強度の低下を抑制しながら軽量化を実現することができる。
【００３５】
また、上記したように、一方側薄肉化部４５がアーチ状の縁４５ａを有し、同様に他方側薄肉化部６５がアーチ状の縁６５ａを有する。これにより、一方側薄肉化部４５のアーチ状の縁４５ａが、その天壁８０側の端及び両側の下端４６ａ，４６ｂの３点で支持し、且つ他方側薄肉化部６５のアーチ状の縁６５ａが、その天壁８０側の端及び両側の下端６６ａ，６６ｂで支持することにより、靴の先芯１０に加わる衝撃や圧迫などの外力を分散することができる。その結果、薄肉化による強度の低下をより抑制することが可能となる。
【００３６】
さらに、上記したように、一方側薄肉化部４５は、側壁２０の周方向において中央（図５において直線Ｃ）から離間する方向に浅くなっている凹部である。同様に、他方側薄肉化部６５は、側壁２０の周方向において中央（図５において直線Ｃ）から離間する方向に浅くなっている凹部である。すなわち、一方側薄肉化部４５及び他方側薄肉化部６５それぞれは、荷重がかかり易い靴の先端側になるほど強度が増すように形成されている。これにより、先芯１０は、上記した本考案が奏する効果を顕著にすることができる。
【００３７】
さらに、上記したように、第１のフランジ接続部９１ａの入隅は、上記した図５に示す直線ＬＣ上又はその近傍に位置し、且つ第２のフランジ接続部９１ｂの入隅は、上記した同図に示す直線ＴＣ上又はその近傍に位置する。フランジ９０が、一方側薄肉化部４５及び他方側薄肉化部６５とこのような位置関係で形成されていることにより、フランジ９０のうち荷重がかかり易い部分である靴の先端側に位置する部分及び踵側に位置する部分それぞれの底面視における面積を他の部分と比較して無駄なく大きくすることができる。その結果、先芯１０は、上記した本考案が奏する効果を一層顕著にすることができる。
【００３８】
［実施例］
本考案の実施として、上記実施形態に係る靴の先芯１０の実施例を説明する。本実施例においては、その各構成の寸法などを記載するが、本考案はこの実施例に限定されるものではない。なお、以下の靴の先芯１０は、２２．５ｃｍ以上３０．０ｃｍ以下のプロテクティブスニーカーに内蔵されるものである。
【００３９】
靴の先芯１０の全体的な寸法は、高さ寸法（図３においてＨで示した寸法）が３５ｍｍ以上５５ｍｍ以下であり、靴の幅方向に沿った寸法（図３〜５において横方向に沿った寸法）が７５ｍｍ以上９５ｍｍ以下である。
【００４０】
側壁２０と天壁８０との接続部の下端は、先芯１０の上端から下端に向かって先芯１０の高さ寸法（図３においてＨで示した寸法）の６０％以上８０％以下の領域（図３においてｈで示した領域）に位置する。
【００４１】
図５を参照して、側壁２０の先端部３０の厚さ寸法は５ｍｍ以上１０ｍｍ以下であり、側壁２０の一方の薄肉化形成部分４０（の一方側薄肉化部４５を除く部分）の厚さ寸法は４ｍｍ以上７ｍｍ以下であり、側壁２０の一方側薄肉化部４５の最も薄い部分（すなわち、凹部が最も深く形成された部分）の厚さ寸法は０．５ｍｍ以上２ｍｍ以下であり、一方の端部５０の厚さ寸法は２ｍｍ以上４ｍｍ以下である。一方側薄肉化部４５は、側壁２０の周方向における中央（直線Ｃ）から一方側端（直線Ｅ１）に向かって側壁２０の周方向に沿った寸法の４０％以上６０％以下の領域（直線ＴＣと直線ＴＥの間に位置する領域）に位置する。なお、他方側薄肉化部６５についても同様であるため、ここではその説明を省略する。側壁２０の先端部３０の靴の幅方向に沿った寸法（換言すると、図２を参照して、一方側薄肉化部４５の靴の先端側に位置する下端４６ａと他方側薄肉化部６５の靴の先端側に位置する下端６６ａとの間における靴の幅方向（図２において横方向）に沿った寸法）は、２０ｍｍ以上４０ｍｍ以下である。
【００４２】
図５を参照して、フランジ９０のうち側壁２０の周方向における中央から突出する寸法（図５において、直線Ｃのうち側壁２０の先端部３０の内面から第１のフランジ先端縁９０ａまでの寸法）は、７ｍｍ以上９ｍｍ以下である。フランジ９０のうち側壁２０の周方向における一方の端５１ａから突出する寸法（図５において、側壁２０の一方の端５１ａ辺りの内面から第２のフランジ先端縁９０ｂまでの寸法）は、７ｍｍ以上９ｍｍ以下である。フランジ９０のうち側壁２０の周方向における他方の端７１ａから突出する寸法（図５において、側壁２０の他方の端７１ａ辺りの内面から第３のフランジ先端縁９０ｃまでの寸法）は、７ｍｍ以上９ｍｍ以下である。
【００４３】
上記実施例について、日本保安用品協会（ＪＳＡＡ）のプロテクティブスニーカー規格に定められた試験を実施した。その結果、この規格に定められた耐衝撃性能、耐圧迫性能などが満たされることが確認された。
【００４４】
（その他の実施形態）
上記実施形態では、側壁２０のうち一方の薄肉化形成部分４０及び他方の薄肉化形成部分６０を除いた部分の内面が平滑に形成されている場合について説明したが、これに限定されない。例えば、靴の先芯１０は、少なくとも側壁２０の先端部３０の内面に形成されたリブを備えてもよい。これにより、特に荷重のかかり易い側壁２０の先端部３０の強度を向上させることができる。その結果、先芯１０は、強度の低下を抑制しながら軽量化を図ることができる。なお、当該リブの構造は特に限定されるものではなく、例えば、正六角形を隙間なく並べたハニカム構造であってもよいし、又は正三角形若しくは他の三角形を隙間なく並べたトラス構造などであってもよい。
【００４５】
上記実施形態では、一方側薄肉化部４５のアーチ状の縁４５ａの下端４６ａ，４６ｂの高さ位置、及び他方側薄肉化部６５のアーチ状の縁６５ａの下端６６ａ，６６ｂの高さ位置が、それぞれ、フランジ９０の上面の高さ位置と同じである場合について説明したが、これに限定されない。すなわち、当該下端４６ａ，４６ｂの高さ位置及び当該下端６６ａ，６６ｂの高さ位置は、それぞれ、フランジ９０の上面の高さ位置よりも上方であってもよい。これにより、一方側薄肉化部４５及び他方側薄肉化部６５の側面視における面積が小さくなるため、先芯１０の強度を向上させることが可能となる。
【００４６】
上記実施形態では、一方側薄肉化部４５は、側壁２０の周方向において中央（図５において直線Ｃ）から離間する方向に浅くなっている凹部である場合について説明したが、これに限定されない。例えば、一方側薄肉化部４５は、その全ての部分が一定の深さで形成されている凹部であってもよし、その他の態様で形成されている凹部であってもよい。なお、他方側薄肉化部６５についても同様であるため、ここではその説明を省略する。
【００４７】
上記実施形態では、一方側薄肉化部４５及び他方側薄肉化部６５が、それぞれ、側壁２０の内面に形成されている凹部である場合について説明したが、これに限定されない。例えば、一方側薄肉化部４５及び他方側薄肉化部６５は、それぞれ、側壁２０に形成されている貫通穴であってもよい。これにより、先芯１０を軽量化することが可能となる。なお、一方側薄肉化部４５及び他方側薄肉化部６５は、それぞれ、凹部と貫通穴の両方を含んで形成されていてもよい。例えば、一方側薄肉化部４５及び他方側薄肉化部６５は、それぞれ、互いに独立して別個に形成された凹部と貫通穴を含んでもよいし、又は凹部の底面に貫通穴が形成されていてもよい。
【００４８】
上記実施形態では、一方側薄肉化部４５がアーチ状の縁４５ａを有し、同様に他方側薄肉化部６５がアーチ状の縁６５ａを有する場合について説明したが、これに限定されない。例えば、一方側薄肉化部４５及び他方側薄肉化部６５は、それぞれ、四角形状などの多角形状の縁を有してもよいし、円状又は半円状の縁を有してもよいし、これらを組み合わせた形状（例えば、台形状の縁の上底の中央部分に半円状の縁が載せられたような形状等）の縁を有してもよいし、その他の形状の縁を有してもよい。なお、このとき角状の部分は、応力集中を起こりにくくするために、丸みを付けて形成されていることが好ましい。
【００４９】
上記実施形態では、一方の薄肉化形成部分４０の内面に１つの一方側薄肉化部４５が形成され、且つ他方の薄肉化形成部分６０の内面に１つの他方側薄肉化部６５が形成されている場合について説明したが、これに限定されない。すなわち、一方の薄肉化形成部分４０の内面に複数の一方側薄肉化部４５が形成され、且つ他方の薄肉化形成部分６０の内面に複数の他方側薄肉化部６５が形成されていてもよい。なお、一方側薄肉化部４５と他方側薄肉化部６５とは同じ数で且つ互いに対応する位置に形成されていることが好ましい。
【００５０】
上記実施形態では、側壁２０と天壁８０とが滑らかに湾曲した接続部により接続されている場合について説明したが、これに限定されない。例えば、側壁２０と天壁８０とは角張った接続部により接続されていてもよい。
【００５１】
上記実施形態では、一方の薄肉化形成部分４０が先端部３０の周方向における一方側端から滑らかに湾曲して踵側に延び、且つ他方の薄肉化形成部分６０が先端部３０の周方向における他方側端から滑らかに湾曲して踵側に延びる場合について説明したが、この場合に限定されない。例えば、一方の薄肉化形成部分４０が先端部３０の周方向における一方側端から角張るように屈曲して踵側に延び、且つ他方の薄肉化形成部分６０が先端部３０の周方向における他方側端から角張るように屈曲して踵側に延びるように形成されていてもよい。
【００５２】
上記実施形態では、側壁２０の先端部３０が、平面視において、靴の先端側へと膨れ出るように湾曲した形状を有する場合について説明したが、これに限定されない。例えば、側壁２０の先端部３０は、平面視において、靴の幅方向に沿って直線状に延びる形状を有していてもよいし、或いは平面視において、最も靴の先端側で角張るように屈曲した略三角形の形状を有していてもよい。
【００５３】
上記実施形態では、第１のフランジ先端縁９０ａと第２のフランジ先端縁９０ｂとの接続部である第１のフランジ接続部９１ａ、及び第１のフランジ先端縁９０ａと第３のフランジ先端縁９０ｃとの接続部である第２のフランジ接続部９１ｂのそれぞれが入隅に形成されている場合について説明したが、これに限定されない。例えば、第１のフランジ接続部９１ａが、底面視において、滑らかに湾曲するように第１のフランジ先端縁９０ａと第２のフランジ先端縁９０ｂとを接続し、且つ第２のフランジ接続部９１ｂが、底面視において、滑らかに湾曲するように第１のフランジ先端縁９０ａと第３のフランジ先端縁９０ｃとを接続するように形成されていてもよい。
【００５４】
上記実施形態では、一方側薄肉化部４５は、上記したように側壁２０の周方向に沿った寸法の２０％以上８０％以下の領域（図５において直線ＴＣと直線ＴＥの間に位置する領域）に位置する場合について説明したが、これに限定されない。例えば、一方側薄肉化部４５は、当該周方向に沿った寸法の３０％以上７０％以下の領域に形成されていてもよいし、４０％以上６０％以下の領域に形成されていてもよい。当該比率の範囲を小さくするほど、先芯１０の強度の低下を抑制することができる。一方、当該比率の範囲を大きくするほど、先芯１０の軽量化を図ることができる。なお、他方側薄肉化部６５についても同様であるため、ここではその説明を省略する。
【００５５】
上記実施形態では、靴の先芯１０がプロテクティブスニーカーの爪先部分に内蔵して設けられ、日本保安用品協会（ＪＳＡＡ）のプロテクティブスニーカー規格に準拠している場合について説明したが、これに限定されない。例えば、靴の先芯１０は、安全靴の爪先部分に内蔵して設けられ、安全靴に関する日本工業規格（ＪＩＳ  Ｔ８１０１）に準拠していてもよいし、その他の靴の爪先部分に内蔵して設けられてもよい。また、靴の先芯１０は、靴の爪先部分においてその一部又は全てが露出する態様で設けられてもよい。
【００５６】
上記説明から、当業者にとっては、本考案の多くの改良や他の実施形態が明らかである。したがって、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５７】
本考案に係る靴の先芯は、外面に突起などを形成することなく、強度の低下を抑制しながら軽量化を実現することができる靴の先芯として有用である。
【符号の説明】
【００５８】
１０  靴の先芯
２０  側壁
２０ａ  下端
３０  先端部
４０  一方の薄肉化形成部分
４５  一方側薄肉化部
４５ａ  アーチ状の縁
４６ａ，４６ｂ  下端
５０  一方の端部
５１ａ  一方の端
６０  他方の薄肉化形成部分
６５  他方側薄肉化部
６５ａ  アーチ状の縁
６６ａ，６６ｂ  下端
７０  他方の端部
７１ａ  他方の端
８０  天壁
９０  フランジ
９０ａ  第１のフランジ先端縁
９０ｂ  第２のフランジ先端縁
９０ｃ  第３のフランジ先端縁
９１ａ  第１のフランジ接続部
９１ｂ  第２のフランジ接続部
【図１】
0003211657.tif 000003
【図２】
0003211657.tif 000004
【図３】
0003211657.tif 000005
【図４】
0003211657.tif 000006
【図５】
0003211657.tif 000007